(57)【要約】【課題】簡単な装飾材の施工により装飾効果が得られるとともに、雨水による汚れを防止することができる装飾構造を提供する。【解決手段】住宅建物２の窓２０の周りの外壁表面２１に沿って、上桟材１１、左右両側桟材１３、下桟材１２からなる長尺の装飾材１を設けて、窓２０周りの外壁表面２１に、これら装飾材１を突出させてなる装飾構造であって、上桟材１１の上縁面１１ｂからの雨水が左右両側桟材１３の上端面１３ａの端縁と外壁表面２１との間に形成された間隙１０から左右両側桟材１３の中空部内へ流れ込むようになされるとともに、下桟材１２の上縁面１２ｂからの雨水が左右両側桟材１３の切欠部１３ｂから中空部内へ流れ込むようになされ、これらの流れ込んだ雨水が外壁表面２１に沿うこと無くスリット１３ｃから流出されるようになされたものである。【選択図】  図１
2006241672.tif 000002
【特許請求の範囲】
【請求項１】
住宅建物の外壁表面から水平方向に突出された突出部材の周りの外壁表面に沿って、上桟材、左右両側桟材からなる長尺の装飾材を設けて、この突出部材周りの外壁表面に、これら装飾材を設けてなる装飾構造であって、
上桟材は、突出部材の横幅に略合致する長さに形成され、それぞれの上縁面には、上縁面から表面へと雨水が流れるのを防止する水切りが設けられ、
左右両側桟材は、上端面には、上端面からの雨水が表面および外縁面に流れるのを防止する水切りが設けられるとともに、内部が中空となされ、下端面の表面側の位置には中空部に連通するスリットが設けられてなり、
上桟材は、上縁面の端縁と外壁表面との間にシール材を介して突出部材の上に固定されるとともに、
左右両側桟材は、内縁面と上桟材の左右両端部との間、内縁面、外縁面および下端面のそれぞれの端縁と外壁表面との間に、それぞれシール材を介して突出部材の左右にそれぞれ固定され、
上桟材の上縁面からの雨水が左右両側桟材の上端面の端縁と外壁表面との間に形成された間隙から左右両側桟材の中空部内へ流れ込むようになされるとともに、
これらの流れ込んだ雨水が外壁表面に沿うこと無くスリットから流出されるようになされたことを特徴とする装飾構造。
【請求項２】
住宅建物の開口部の周りの外壁表面に沿って、上桟材、左右両側桟材、下桟材からなる長尺の装飾材を設けて、開口部周りの外壁表面に、これら装飾材を突出させてなる装飾構造であって、
上桟材および下桟材は、開口部の開口幅に略合致する長さに形成され、それぞれの上縁面には、上縁面から表面へと雨水が流れるのを防止する水切りが設けられ、
左右両側桟材は、開口部の側桟に上記上桟材および下桟材の幅を加えた長さに形成され、上端面には、上端面からの雨水が表面および外縁面に流れるのを防止する水切りが設けられるとともに、内部が中空となされ、内縁面の下桟材の位置には中空部に連通する切欠部が設けられ、下端面の表面側の位置には中空部に連通するスリットが設けられてなり、  上桟材および下桟材は、上縁面の端縁と外壁表面との間にシール材を介して開口部の上下にそれぞれ固定されるとともに、
左右両側桟材は、内縁面と上桟材および下桟材の左右両端部との間、内縁面、外縁面および下端面のそれぞれの端縁と外壁表面との間に、それぞれシール材を介して開口部の左右にそれぞれ固定され、
上桟材の上縁面からの雨水が左右両側桟材の上端面の端縁と外壁表面との間に形成された間隙から左右両側桟材の中空部内へ流れ込むようになされるとともに、
下桟材の上縁面からの雨水が左右両側桟材の切欠部から中空部内へ流れ込むようになされ、
これらの流れ込んだ雨水が外壁表面に沿うこと無くスリットから流出されるようになされたことを特徴とする装飾構造。
【請求項３】
左右両側桟材は、上端面に開口部が設けられてなり、
上桟材の上縁面からの雨水が左右両側桟材の開口部へ流れ込むようになされた請求項１または２記載の装飾構造。
【請求項４】
開口部の上下左右に固定金具が設けられ、上桟材、下桟材および左右両側桟材は、これら固定金具を介して固定するようになされた請求項１または２記載の装飾構造。
【発明の詳細な説明】
【技術分野】
【０００１】
本発明は、住宅建物の窓のように外壁表面から水平方向に突設されて設けられる部材の装飾構造に関するものである。
【背景技術】
【０００２】
従来より、住宅建物の窓の外側の外壁表面に、長板状の木材、合成木材、アルミニウム製装飾材、窯業製品などを設けて縁取りし、窓周囲を装飾することが行われている。
【０００３】
図８に示すように、このような装飾材ａは、窓ｂの外側の外壁表面ｃに、直接または金具などを介して取り付け、外壁表面ｃよりも外側に突出するように設けられていた。
【特許文献１】特開２００３−１３８７４０号公報
【発明の開示】
【発明が解決しようとする課題】
【０００４】
しかし、上記従来の装飾構造の場合、装飾材ａが外壁表面ｃよりも外側に突出するように設けられているので、窓ｂの上側に設けられる装飾材ａの天面ｄには、埃や塵などが溜まりやすくなる。このような埃や塵などは、雨が降った際に装飾材ａの表面や外壁表面ｃを伝って流れ落ち、装飾材ａの表面や外壁表面ｃを汚して外観上見苦しくなるといった不都合を生じることとなる。
【０００５】
また、このような装飾材ａの無い通常の窓構造においても、図９に示すように、突出された窓ｅの上桟の天面や、セットバックされた窓ｆの下桟の天面に埃や塵などが溜まりやすくなるので、雨などが降った後には、窓ｅ、ｆの縦桟に沿った外壁表面ｃの下側には、汚れが形成されやすくなる。
【０００６】
さらに、図１０に示すように、外壁表面ｃから突出された庇ｇなどの場合も、天面に埃や塵などが溜まりやすくなる。この庇ｇの場合は、大半の雨水は、庇ｇの周囲から流れ落ちることとなるが、一部の雨水は外壁表面ｃを伝って流れ落ちることとなり、庇ｇの両側の外壁表面ｃには、汚れが形成されやすくなる。
【０００７】
本発明は係る実情に鑑みてなされたものであって、簡単な装飾材の施工により装飾効果が得られるとともに、雨水による汚れを防止することができる装飾構造を提供することを目的としている。
【課題を解決するための手段】
【０００８】
上記課題を解決するための本発明の装飾構造は、住宅建物の外壁表面から水平方向に突出された突出部材の周りの外壁表面に沿って、上桟材、左右両側桟材からなる長尺の装飾材を設けて、この突出部材周りの外壁表面に、これら装飾材を設けてなる装飾構造であって、上桟材は、突出部材の横幅に略合致する長さに形成され、それぞれの上縁面には、上縁面から表面へと雨水が流れるのを防止する水切りが設けられ、左右両側桟材は、上端面には、上端面からの雨水が表面および外縁面に流れるのを防止する水切りが設けられるとともに、内部が中空となされ、下端面の表面側の位置には中空部に連通するスリットが設けられてなり、上桟材は、上縁面の端縁と外壁表面との間にシール材を介して突出部材の上に固定されるとともに、左右両側桟材は、内縁面と上桟材の左右両端部との間、内縁面、外縁面および下端面のそれぞれの端縁と外壁表面との間に、それぞれシール材を介して突出部材の左右にそれぞれ固定され、上桟材の上縁面からの雨水が左右両側桟材の上端面の端縁と外壁表面との間に形成された間隙から左右両側桟材の中空部内へ流れ込むようになされるとともに、これらの流れ込んだ雨水が外壁表面に沿うこと無くスリットから流出されるようになされたものである。
【０００９】
また、上記課題を解決するための本発明の装飾構造は、住宅建物の開口部の周りの外壁表面に沿って、上桟材、左右両側桟材、下桟材からなる長尺の装飾材を設けて、開口部周りの外壁表面に、これら装飾材を突出させてなる装飾構造であって、上桟材および下桟材は、開口部の開口幅に略合致する長さに形成され、それぞれの上縁面には、上縁面から表面へと雨水が流れるのを防止する水切りが設けられ、左右両側桟材は、開口部の側桟に上記上桟材および下桟材の幅を加えた長さに形成され、上端面には、上端面からの雨水が表面および外縁面に流れるのを防止する水切りが設けられるとともに、内部が中空となされ、内縁面の下桟材の位置には中空部に連通する切欠部が設けられ、下端面の表面側の位置には中空部に連通するスリットが設けられてなり、上桟材および下桟材は、上縁面の端縁と外壁表面との間にシール材を介して開口部の上下にそれぞれ固定されるとともに、左右両側桟材は、内縁面と上桟材および下桟材の左右両端部との間、内縁面、外縁面および下端面のそれぞれの端縁と外壁表面との間に、それぞれシール材を介して開口部の左右にそれぞれ固定され、上桟材の上縁面からの雨水が左右両側桟材の上端面の端縁と外壁表面との間に形成された間隙から左右両側桟材の中空部内へ流れ込むようになされるとともに、下桟材の上縁面からの雨水が左右両側桟材の切欠部から中空部内へ流れ込むようになされ、これらの流れ込んだ雨水が外壁表面に沿うこと無くスリットから流出されるようになされたものである。
【００１０】
さらに、上記装飾構造において、左右両側桟材は、上端面に開口部が設けられてなり、上桟材の上縁面からの雨水が左右両側桟材の開口部へ流れ込むようになされたものである。また、開口部の上下左右に固定金具が設けられ、上桟材、下桟材および左右両側桟材は、これら固定金具を介して固定するようになされたものである。
【発明の効果】
【００１１】
以上述べたように、本発明によると、外壁表面に設けた装飾材によって、外壁表面に突出された部材や開口部からの塵埃を含んだ雨水によって外壁表面が汚れるのを防止することができる。また、この外壁表面に設けられる装飾材自身も、上桟材または下桟材の上縁面に塵埃が溜まりやすくなるが、これら上桟材または下桟材の上縁面からの塵埃を含んだ雨水は、左右両側桟材の上端面の端縁と外壁表面との間隙、または左右両側桟材の切欠部から、これら左右両側桟材の中空部内を流れて外壁表面に沿うこと無くスリットから流出する。したがって、外壁表面は、塵埃を含んだ雨水によって汚れることが防止でき、装飾材自体も汚れない。
【発明を実施するための最良の形態】
【００１２】
以下、本発明の実施の形態を図面を参照して説明する。
【００１３】
図１ないし図３は装飾構造の全体構成の概略を示し、図４ないし図６はこの装飾構造に用いられる装飾材１を示している。
【００１４】
この装飾構造は、上桟材１１と下桟材１２と左右両側桟材１３、１３とからなる装飾材１を、住宅建物２の窓２０の周りの外壁表面２１に沿って設けてなり、この装飾材１のうち、上桟材１１からの雨水が左右両側桟材１３、１３の上端面１３ａと外壁表面２１との間隙１０から左右両側桟材１３、１３内に流れ込み、下桟材１２からの雨水が、切欠部１３ｂから左右両側桟材１３、１３内に流れ込んで、左右両側桟材１３、１３に設けたスリット１３ｃから外壁表面２１に沿うこと無く流出されるようになされている。
【００１５】
装飾材１は、断面略リップ溝型の長尺のアルミニウム材によって形成されており、窓２０の開口幅に相当する長さに形成された上桟材１１および下桟材１２と、窓２０の開口高さに上記上桟材１１および下桟材１２の幅を加えた長さに形成された左右両側桟材１３とによって構成されている。
【００１６】
上桟材１１は、図４に示すように、表面１１ａの上縁部側が、上縁面１１ｂよりもさらに上方に突出して長手方向全体に沿って水切り部１１ｃを形成するようになされている。これにより、上縁面１１ｂに降った雨水は、表面１１ａに流れることなく上桟材１１の左右両端部側へと流れるようになされている。この上桟材１１は、上縁面１１ｂのリップ部１１ｄの長手方向全体に沿って水密材３が設けられる。また、上桟材１１の両端面１１ｅには、表面１１ａおよび上縁面１１ｂに沿って前記水密材３と連続するように、略Ｌ字状に水密材３が設けられる。この水密材３としては、部材間に押圧された状態で介在することによって、これら部材間の間隙を埋めて水密性を発揮するようになされた弾性体からなるものを使用することができる。
【００１７】
下桟材１２は、図５に示すように、表面１２ａの上縁部側が、上縁面１２ｂよりもさらに上方に突出して長手方向全体に沿って水切り部１２ｃを形成するようになされている。これにより、上縁面１２ｂに降った雨水は、表面１２ａに流れることなく下桟材１２の左右両端部側へと流れるようになされている。この下桟材１２は、上縁面１２ｂのリップ部１２ｄが、両端面１２ｅよりもさらに両端方向に突出するようになされている。そして、このリップ部１２ｄの長手方向全体に沿って水密材３が設けられる。また、下桟材１２の両端面１２ｅには、表面１２ａおよび上縁面１２ｂに沿って略Ｌ字状に水密材３が設けられる。
【００１８】
左側桟材１３は、図６に示すように、上端面１３ａのうち、表面１３ｄ、外縁面１３ｅおよび外縁面１３ｅのリップ部１３ｆに面した縁部が、上端面１３ａよりもさらに上方に突出して水切り部１３ｇを形成するようになされている。この左側桟材１３は、上端面１３ａが上桟材１１の上縁面１１ｂと面一となり、水切り部１３ｇが上桟材１１の水切り部１１ｃと面一となるように施工される。
【００１９】
また、左側桟材１３は、施工状態で下桟材１２の上縁面１２ｂのリップ部１２ｄに対応する内縁面１３ｈの位置に切欠部１３ｂが形成されている。
【００２０】
さらに、左側桟材１３は、下端面１３ｉのうち、表面１３ｄに沿って開口するスリット１３ｃが形成されている。この左側桟材１３は、外縁面１３ｅのリップ部１３ｆの長手方向全体と、下端面１３ｉの端縁の長手方向全体と、切欠部１３ｂよりも下側の内縁面１３ｈのリップ部１３ｊの長手方向全体とに沿って水密材３が設けられる。これにより、この左側桟材１３は、上端面１３ａと外壁表面２１との間隙１０、および切欠部１３ｂから、この左側桟材１３内に雨水が流れ込んで、スリット１３ｃから外部に流出するようになされている。
【００２１】
なお、右側桟材１３は、この左側桟材１３と対称に形成されているため、同符号を付して説明を省略する。
【００２２】
これら、上桟材１１、下桟材１２、左右両側桟材１３からなる装飾材１は、それぞれの表面１１ａ、１２ａ、１３ｄの裏側に、長手方向に沿って断面Ｌ字状に突設された係止部１４が形成されている。装飾材１は、この係止部１４を、外壁表面２１に設けた固定金具４に係止させた状態で、この固定金具４にビス５で固定することによって、外壁表面２１に取り付けられる。
【００２３】
なお、本実施の形態において、装飾材１は、断面略リップ溝型の長尺のアルミニウム材によって形成されているが、窯業製品、樹脂製品、木製品、その他の複合材料などで構成されたものであってもよい。また、装飾材１は、その表面に木目調の模様や、櫛引調の溝などによる模様が形成されたり、その他、各種の色に着色されたりして装飾されたものであってもよい。
【００２４】
固定金具４は、図２および図３に示すように、基板部４０の両側に立ち上がり片４１、４２を有する断面略コ字状に形成されており、一方の立ち上がり片４１には、上記係止部１４に係止する係止片４１ａが形成されている。また、他方の立ち上がり片４２は、係止片４１ａに装飾材１の係止部１４を係止させた状態で、装飾材１の各側縁面の内側に当接することができるように位置決めされている。また、この位置決め状態で、他方の立ち上がり片４２は、基板部４０寄りの位置に階段状に屈曲された凹設部４２ａが形成されており、装飾材１の各側縁面のリップ部に干渉しないようになされている。そして、装飾材１は、係止部１４を、固定金具４の係止片４１ａに係止させた状態で、装飾材１の各側縁面の外側から、この側縁面が当接された固定金具４の立ち上がり片４２にビス５で固定される。
【００２５】
次に、この開口部装飾構造の施工方法について述べる。
【００２６】
まず、上記したようにあらかじめ所定の位置に水密材３を設けた上桟材１１、下桟材１２、左右両側桟材１３、１３からなる装飾材１を用意しておく。
【００２７】
そして、現場では、住宅建物２の窓２０の上桟２０ａの左右、下桟２０ｂの左右、左右側桟２０ｃ、２０ｃの上下のそれぞれに面した外壁表面２１に固定金具４をビス５で固定する。
【００２８】
ついで、窓２０の上下の固定金具４に、それぞれ上桟材１１および下桟材１２をビス５で固定した後、窓２０の左右の固定金具４に、左右両側桟材１３、１３をビス５で固定して施工が完了する。
【００２９】
このように、外壁表面２１にビス５で固定しておいた固定金具４に、装飾材１をビス５で固定するだけで簡単に施工することができる。また、固定金具４を用いて固定することで、装飾材１を構成する上桟材１１、下桟材１２、左右両側桟材１３、１３のそれぞれは、固定金具４の係止片４１ａに係止部１４を係止させることによって、または固定金具４の立ち上がり片４２に側縁面をビス５を固定することによって、いずれも水密材３が圧縮される方向に力が作用することとなり、水密材３による優れた水密性を発揮することができることとなる。
【００３０】
この開口部装飾構造によると、雨が降った場合、雨水は、窓２０の上側に固定した上桟材１１では、水切り部１１ｃによって上桟材１１の上縁面１１ｂから表面１１ａへと流れることが防止され、上縁面１１ｂに沿って上桟材１１の左右両端部側へと流れ、左右両側桟材１３、１３の上端面１３ａと外壁表面２１との間隙１０から、これら左右両側桟材１３、１３の内側に流れ込むこととなる。したがって、上桟材１１の上縁面１１ａは、埃や塵が溜まりやすく、この埃や塵が混じって汚れた雨水が発生するが、この汚れた雨水が上桟材１１の表面１１ａや外壁表面２１へと流れないので、外観が汚れて見苦しくなるのを防止することができる。
【００３１】
また、窓２０の下側に固定した下桟材１２では、雨水は、水切り部１２ｃによって下桟材１２の上縁面１２ｂから表面１２ａへと流れることが防止され、上縁面１２ｂに沿って下桟材１２の左右両端部側へと流れ、左右両側桟材１３、１３の切欠部１３ｂから、これら左右両側桟材１３、１３の内側に流れ込むこととなる。したがって、下桟材１２の上縁面１２ａは、埃や塵が溜まりやすく、この埃や塵が混じって汚れた雨水が発生するが、この汚れた雨水が下桟材１２の表面１２ａや外壁表面２１へと流れないので、外観が汚れて見苦しくなるのを防止することができる。
【００３２】
そして、上記した左右両側桟材１３、１３の上端面１３ａと外壁表面２１との間隙１０や、左右両側桟材１３、１３の切欠部１３ｂから、これら左右両側桟材１３、１３の内側へと流れ込んだ雨水は、左右両側桟材１３、１３の下端面１３ｉにおいて、表面１３ｄに沿って開口するスリット１３ｃから外部に流出される。したがって、この流出される雨水は、外壁表面２１に伝って流れることなく、外壁表面２１から離れたスリット１３ｃから流出されることとなるので、雨水によって外壁表面２１が汚れて見苦しくなるのを防止することができる。
【００３３】
なお、本実施の形態において、上桟材１１の両側端部に流れた雨水は、左右両側桟材１３、１３の上端面１３ａと外壁表面２１との間隙１０から、これら左右両側桟材１３、１３の内側に流れ込むようになされているが、左右両側桟材１３、１３の上端面１３ａにそれぞれ開口部（図示省略）を形成しておき、これら開口部から左右両側桟材１３、１３の内側に直接雨水を流れ込ませるようにしたものであってもよい。
【００３４】
また、本実施の形態において、上桟材１１、下桟材１２、左右両側桟材１３、１３からなる装飾材１は、外壁表面２１に固定した固定金具４を介して固定するようになされているが、外壁表面２１に直接的にビス５で固定するものであってもよい。
【００３５】
さらに、本実施の形態において、窓２は、固定窓となされているが、この窓２としては、引き違い窓であっても良いし、押し開き窓であっても良いし、掃き出し窓であってもよい。また、窓２の大きさとしては、窓２の周囲に装飾材１を設けることができるだけのスペースが残されていれば、特に限定されるものではない。さらに、窓２の形状としても、窓２の枠が外壁表面２１よりも突出されており、上桟２０ａや下桟２０ｂに埃や塵が溜まりやすくなったもの、または窓２が外壁表面２１よりもセットバックして設けられ、下桟２０ｂおよびセットバック部水平面に塵が溜まりやすいものであれば、特に限定されるものではない。
【００３６】
また、このような窓２の他にも、建物２の外壁表面２１より水平方向に出があり、埃や塵が溜まりやすい部材、例えば図７に示す庇２２などのように外壁表面２１から突設された部材にも適用することができるし、出入口２３などの開口部に適応することもできる。このような庇２２や出入口２３などに適用する場合、窓２０の場合のように下桟２０ｂに埃や塵が溜まることも無いので、装飾材１としては、下桟材１２を除いた上桟材１１と両側桟材１３、１３とで構成されたものであってもよい。また、庇２２の場合、両側桟材１３、１３は、上桟材１１から流れて来る雨水を、外壁表面２１に伝って流すことなく、外壁表面２１から離れたスリット１３ｃから流出させるだけなので、その長さとしては、適宜のものを使用することができる。したがって、両側桟材１３、１３は、図７（ａ）に示すように、庇２２の高さぶんだけであってもよいし、図７（ｂ）に示すように、庇２２の下の出入口２３の高さ全体にわたって設けられていてもよい。
【産業上の利用可能性】
【００３７】
住宅建物の外壁表面から水平方向に突設された突出部材、または開口部周りの汚れ防止や装飾に利用できる。
【図面の簡単な説明】
【００３８】
【図１】本発明に係る装飾構造の全体構成の概略を示す斜視図である。
【図２】本発明に係る装飾構造の施工工程を示す分解斜視図である。
【図３】本発明に係る装飾構造の施工工程を示す分解斜視図である。
【図４】本発明に係る装飾構造に用いられる装飾材のうち、上桟材を示す部分破断斜視図である。
【図５】本発明に係る装飾構造に用いられる装飾材のうち、下桟材を示す部分破断斜視図である。
【図６】本発明に係る装飾構造に用いられる装飾材のうち、左側桟材を示す部分破断斜視図である。
【図７】（ａ）ないし（ｃ）は本発明に係る装飾構造の他の実施の形態を示す斜視図である。
【図８】従来の装飾構造を示す斜視図である。
【図９】（ａ）および（ｂ）は、従来の窓構造を示す斜視図である。
【図１０】従来の庇構造を示す斜視図である。
【符号の説明】
【００３９】
１  装飾材
１０  間隙
１１  上桟材
１１ａ  表面
１１ｂ  上縁面
１１ｃ  水切り部
１２  下桟材
１２ａ  表面
１２ｂ  上縁面
１２ｃ  水切り部
１３  側桟材
１３ａ  上端面
１３ｂ  切欠部
１３ｃ  スリット
１３ｅ  外縁面
１３ｈ  内縁面
１３ｉ  下端面
２  住宅建物
２０  窓（開口部）
２１  外壁表面
２２  庇（突出部材）
２３  出入口（開口部）
３  水密材（シール材）
４  固定金具
【図１】
2006241672.tif 000003
【図２】
2006241672.tif 000004
【図３】
2006241672.tif 000005
【図４】
2006241672.tif 000006
【図５】
2006241672.tif 000007
【図６】
2006241672.tif 000008
【図７】
2006241672.tif 000009
【図８】
2006241672.tif 000010
【図９】
2006241672.tif 000011
【図１０】
2006241672.tif 000012